【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
コアおよびコア周囲粒子からなる洗浄または浄化組成物のためのコア-シェル結合体であって、コア周囲粒子が、コア粒子の粒子直径ｄ50の最大で１／１０であって２μｍよりも大きい粒子直径ｄ50を有し、少なくとも１つのさらなる被覆が、コア-シェル結合体に外部適用されていることを特徴とする結合体。
【請求項２】
コア粒子が、コア-シェル結合体を形成する固体の７５重量％未満を構成し、追加用粒子が、２５重量％以上を構成することを特徴とする請求項１に記載の結合体。
【請求項３】
繊維製品の浄化、ケア、コンディショニングおよび／または後処理のための成分を含有し、繊維製品のケア、コンディショニングおよび／または後処理のための成分が、好ましくはコア中に、特にコア中のみに存在することを特徴とする請求項１または２に記載の結合体。
【請求項４】
食器、ガラス、刃物などの浄化および／またはケアのための成分を含有することを特徴とする請求項１〜３のいずれかに記載の結合体。
【請求項５】
コア粒子の直径ｄ50が０.０５〜５ｍｍの範囲内であることを特徴とする請求項１〜４のいずれかに記載の結合体。
【請求項６】
コア周囲粒子が、コア粒子の粒子直径ｄ50の最大で１／１２である粒子直径ｄ50を有することを特徴とする請求項１〜５のいずれかに記載の結合体。
【請求項７】
コア粒子が、コア-シェル結合体を形成する固体の５０重量％未満、好ましくは４５重量％未満、有利には４０重量％未満、より有利には１５〜３５重量％、特に２０〜３０重量％を構成することを特徴とする請求項１〜６のいずれかに記載の結合体。
【請求項８】
コア周囲粒子が、コア-シェル結合体を形成する固体の５０重量％以上、好ましくは５５重量％以上、より有利には６０重量％以上、さらに有利には６５〜８５重量％、特に７０〜８０重量％を構成することを特徴とする請求項１〜７のいずれかに記載の結合体。
【請求項９】
コア周囲粒子が極めて実質的に均一な粒度を有し、コア周囲粒子の粒度分布が、有利にはコア周囲粒子のｄ50／ｄ90比が、好ましくは少なくとも０.５、より有利には少なくとも０.６、特に少なくとも０.７５であるような分布であることを特徴とする請求項１〜８のいずれかに記載の結合体。
【請求項１０】
コア粒子および／またはコア周囲粒子が、塔粉末生成物および／または非塔技術由来の(粗)生成物から得られ、好ましくは、ドラム、パン、ミキサーまたは流動床造粒機における造粒から得られることを特徴とする請求項１〜９のいずれかに記載の結合体。
【請求項１１】
ｄ50／ｄ90比が少なくとも０.５０、好ましくは少なくとも０.６、有利には少なくとも０.７５、より有利には少なくとも０.８０である非常に均一な粒度分布で本質的に存在することを特徴とする請求項１〜１０のいずれかに記載の結合体。
【請求項１２】
コア-シェル結合体のコアが、圧縮法によって、例えば湿潤造粒(好ましくは機械的エネルギーの同時圧縮投入を伴う)、溶融凝集、噴霧乾燥、噴霧凝集(流動床中、特に回転流動床中)、ローラー圧縮、特に押出および関連の圧縮法によって、それぞれ個々のコアに形状が導入されることを要して製造されることを特徴とする請求項１〜１１のいずれかに記載の結合体。
【請求項１３】
コア-シェル結合体のコアが、多数の比較的小さい粒子から、特に、好ましくは冷水中であっても可溶性であるバインダーを追加で使用して形成されることを特徴とする請求項１〜１２のいずれかに記載の結合体。
【請求項１４】
酵素を含むが、好ましくは被覆コア-シェル結合体の２つの相、特にシェルおよび被覆は酵素を全く含まず、第３の相、好ましくはコアが有利には酵素を含むことを特徴とする請求項１〜１３のいずれかに記載の結合体。
【請求項１５】
請求項１〜１４のいずれかに記載の結合体を含んでなる造形物、好ましくはタブレット。
【請求項１６】
請求項１〜１４のいずれかに記載の結合体を含んでなる洗浄または浄化組成物。
【請求項１７】
コア-シェル結合体の製造方法であって、ミキサー／造粒機において、最初に粒状蓄積物(「初期導入用粒子」)を導入し、これを造粒助剤およびさらなる粒状蓄積物(「追加用粒子」)の添加により造粒／凝集させることによってコア-シェル結合体を得ること、該追加用粒子が、該初期導入用粒子の粒子直径ｄ50の最大で１／１０であって２μｍよりも大きい粒子直径ｄ50を有すること、少なくとも１つのさらなる被覆を、該コア-シェル結合体に外部適用することを特徴とする方法。
【請求項１８】
初期導入用粒子が、極めて実質的に均一な粒度を有することを特徴とする請求項１７に記載の方法。
【請求項１９】
コア粒子が、コア-シェル結合体を形成する固体の７５重量％未満を構成し、追加用粒子が、その２５重量％以上を構成することを特徴とする請求項１７または１８に記載の方法。
【請求項２０】
使用するコア材料が、高圧(好ましくは２００バールまで、特に１５〜１５０バールの範囲内の圧力)の作用下での複数成分混合物の押出と、その後の特にストランド形態にある押出物の造粒および好ましくは丸みつけによって、あるいは、初期混合物において比較的微細に分割された形態で存在する複数成分混合物の少なくとも０.５ｍｍ、好ましくは少なくとも０.６ｍｍ、特に０.８ｍｍ以上の適当な粒度への圧縮(堅固に付着する層を得るための凝集／造粒による；所望により水溶性バインダーの追加使用を伴う)によって製造された複数成分支持コアであることを特徴とする請求項１７〜１９のいずれかに記載の方法。
【請求項２１】
追加用粒子を、少なくとも１分間にわたって添加することを特徴とする請求項１７〜２０のいずれかに記載の方法。
【請求項２２】
初期導入用粒子の直径ｄ50が０.０５５〜５ｍｍの範囲内にあることを特徴とする請求項１７〜２１のいずれかに記載の方法。
【請求項２３】
初期導入用粒子の粒度分布が、初期導入用粒子のｄ50／ｄ90比が、本質的に少なくとも０.５、好ましくは少なくとも０.６、有利には少なくとも０.７５、特に少なくとも０.８であるような分布であることを特徴とする請求項１７〜２２のいずれかに記載の方法。
【請求項２４】
造粒助剤が造粒フォームであることを特徴とする請求項１７〜２３のいずれかに記載の方法。
【請求項２５】
追加用粒子が、初期導入用粒子の粒子直径ｄ50の最大で１／１２、好ましくは最大で１／１４、有利には最大で１／１６、より有利には最大で１／１８、より有利には最大で１／２０、さらに有利には最大で１／２２、極めて有利には最大で１／２４、特に最大で１／２６である粒子直径ｄ50を有することを特徴とする請求項１７〜２４のいずれかに記載の方法。
【請求項２６】
初期導入用粒子が、造粒操作に関与する固体の５０重量％未満、好ましくは４５重量％未満、有利には４０重量％未満、より有利には１５〜３５重量％、特に２０〜３０重量％を構成することを特徴とする請求項１７〜２５のいずれかに記載の方法。
【請求項２７】
追加用粒子が、造粒操作に関与する固体の５０重量％以上、好ましくは５５重量％以上、より有利には６０重量％以上、さらに有利には６５〜８５重量％、特に７０〜８０重量％を構成することを特徴とする請求項１７〜２６のいずれかに記載の方法。
【請求項２８】
追加用粒子が極めて実質的に均一な粒度を有し、追加用粒子の粒度分布が、有利には追加用粒子のｄ50／ｄ90比が、好ましくは少なくとも０.５、さらに有利には少なくとも０.６、特に少なくとも０.７５であるような分布であることを特徴とする請求項１７〜２７のいずれかに記載の方法。
【請求項２９】
以下の工程を特徴とする請求項１７〜２８のいずれかに記載の方法：
(ａ)ふるい分け操作を行って、少なくとも１つの粒状蓄積物Ｉにおいて、実質的に均一な粒度を有する粒状蓄積物(初期導入用粒子)を、大き過ぎるものおよび微細なものから除く工程；
(ｂ)粒状蓄積物Ｉから分離した大き過ぎるものおよび微細なものを、初期導入用粒子の粒子直径ｄ50の少なくとも１／１０またはそれ以下に粉砕して、好ましくはすりつぶして、「追加用粒子」を得る工程；
(ｃ)所望により、少なくとも１つの粒状蓄積物IIを、好ましくは工程(ｂ)におけると同じ粉砕装置において、初期導入用粒子の粒子直径ｄ50の少なくとも１／１０またはそれ以下に粉砕して、好ましくはすりつぶして、「追加用粒子」を得る工程；
(ｄ)初期導入用粒子[工程(ａ)由来]を、追加用粒子[工程(ｂ)および所望により工程(ｃ)由来]および造粒助剤の添加により、ミキサー／造粒機中で造粒／凝集させる工程；
(ｅ)所望により、顆粒／凝集物を流動床において乾燥および／または冷却する工程；
(ｆ)所望の分画を、大き過ぎるものおよび微細なものから、ふるい分けおよび／またはふるい掛けによって除く工程；
(ｇ)大き過ぎるものおよび微細なもの[工程(f)由来]を、粉砕デバイス、好ましくはミルに移し、これらの粒子を、初期導入用粒子の粒子直径ｄ50の最大で１／１０である粒子直径ｄ50に粉砕する、好ましくはすりつぶす工程；
(ｈ)粉砕した粒子[工程(ｇ)由来]を、追加用粒子としてミキサー／造粒機中にリサイクルする工程；
(ｉ)所望の分画を被覆する工程。